(57)【要約】【課題】  遊技機の転倒を確実に防止できると共に、遊技場の既存の設置設備に容易に取り付けることが可能な遊技機を提供する。【解決手段】  スピーカ筐体１１の前蓋部材６１の下側面を構成する下面延出部６８の前側端縁部に、前側平板部６４の左右方向全幅に渡って対応するように下方向に所定高さ（約０．２ｍｍ〜３ｍｍの高さ寸法である。）のリブ部１２を突設する。このリブ部１２は、スピーカ筐体１１を外枠２に装着した場合に、この外枠２の下端面に対向する位置又は該下端面よりわずかに下側に突出する（例えば、外枠２の下端面に対して約０．０ｍｍ〜２．０ｍｍ下方向に突出する。）ように構成されている。【選択図】  図４
2005323729.tif 000002
【特許請求の範囲】
【請求項１】
少なくとも下側の横枠板の前面部と左右に対向する一対の縦枠板の各前面部とが略同一平面上に配置されるように矩形に形成される木製の外枠と、前記外枠に遊技者側の前面側にて開閉可能となるように取り付けられると共に、複数の部材が取り付けられる所定厚さの内枠と、を備えた遊技機において、
前記外枠の前記内枠より下側部分の前面部を左右方向及び上下方向の各全幅に渡って覆うように設けられるスピーカ筐体を備え、
前記スピーカ筐体は、前記横枠板及び各縦枠板の前面部から前記内枠の前面部まで前側方向に膨出される正面視横長四角形の合成樹脂製の前蓋部材と、
前記前蓋部材の裏面に配設されるスピーカと、
前記前蓋部材の背面部を覆うと共に前記横枠板の前面上端縁部より上側部分が裏側方向に膨出される合成樹脂製のスピーカ収容部材と、
前記前蓋部材の下側面に突設される支持部と、
を有し、
前記支持部は、該スピーカ筐体を外枠に取り付けた場合に、該支持部の下端面が前記横枠板の底面部と同じ位置又は該底面部よりわずかに突出するように下方向に突設されていることを特徴とする遊技機。
【請求項２】
前記支持部は、前記前蓋部材の下側面の前側端縁部に設けられていることを特徴とする請求項１に記載の遊技機。
【請求項３】
前記支持部は、前記前側端縁部の左右方向略全幅に渡って設けられていることを特徴とする請求項２に記載の遊技機。
【発明の詳細な説明】
【技術分野】
【０００１】
本発明は、矩形に形成される木製の外枠と、この外枠に遊技者側の前面側にて開閉可能となるように取り付けられると共に、複数の部材が取り付けられる所定厚さの内枠と、を備えたパチンコ機等の遊技機に関するものである。
【背景技術】
【０００２】
従来より、パチンコ機等の遊技機において、外枠の内枠より下側部分の前面部にスピーカユニットを設けた遊技機が種々提案されている。
例えば、矩形に形成される外枠は、上辺を構成する木製の上枠部材と、下辺を構成する合成樹脂製の下枠部材と、左辺を構成する木製の左枠部材および右辺を構成する合成樹脂製の右枠部材とから基本的に構成されている。そして、コーン形スピーカ等により構成される左右一対の出力装置は、この合成樹脂製の側断面Ｌ字形の下枠部材の裏側に取付けられている。更に、下枠部材の裏側には、左右の出力装置の後側を被覆し得る収容ケースが配設され、所謂エンクロージャー構造の収容部が画成された構造のパチンコ機が提案されている（例えば、特許文献１参照。）。
【特許文献１】特開２００３−３２５８９６号公報（段落（００１７）〜（００８４）、図１〜図５）
【発明の開示】
【発明が解決しようとする課題】
【０００３】
しかしながら、上記従来のパチンコ機においては、外枠を構成する下枠部材は、合成樹脂製であるため、このパチンコ機を遊技場の既存の設置設備に取り付ける場合には、下枠部材に木ネジや釘等を挿通するための取付孔をこの既存の設置設備に合わせて設ける必要があり、任意の設置設備に対応することが困難であるという問題がある。
一方、この下枠部材を左枠部材及び右枠部材と同じ幅寸法の木製にして、外枠の内枠より下側部分の前面部に合成樹脂製のスピーカユニットを設けた場合には、この下枠部材の任意の位置に木ネジや釘等を打ち付けて遊技場の既存の設置設備に容易に取り付けることができるが、下枠部材の幅寸法が内枠の厚さ寸法だけ短くなるため、内枠に取り付けられている各種部品の重量によって該遊技機が輸送途中に内枠側（前面側）に転倒して破損する虞があるという問題がある。そこで、合成樹脂製のスピーカユニットの下面部を下枠部材の底面部と同じ位置になるように成形することが考えられるが、樹脂成形品の肉厚寸法を大きくして寸法精度を高くした場合には、製造コストアップになるという問題がある。また、合成樹脂製のスピーカユニットの剛性を高めるために肉厚寸法を大きくした場合には、該スピーカユニットの内部の容量が少なくなるという問題がある。
【０００４】
そこで、本発明は、上述した問題点を解決するためになされたものであり、矩形に形成される木製の外枠の内枠より下側部分の前面部に合成樹脂製のスピーカ筐体を設け、該スピーカ筐体の下面に所定高さ寸法の支持部を設けることによって、遊技機の転倒を確実に防止できると共に、遊技場の既存の設置設備に容易に取り付けることが可能な遊技機を提供することを目的とする。また、合成樹脂製のスピーカ筐体の肉厚寸法を薄くして容量の大型化を図り、中高音の音質の飛躍的な向上、及び量感のある低音を再生することが可能な遊技機を提供することを目的とする。
【課題を解決するための手段】
【０００５】
前記目的を達成するため請求項１に係る遊技機は、少なくとも下側の横枠板の前面部と左右に対向する一対の縦枠板の各前面部とが略同一平面上に配置されるように矩形に形成される木製の外枠と、前記外枠に遊技者側の前面側にて開閉可能となるように取り付けられると共に、複数の部材が取り付けられる所定厚さの内枠と、を備えた遊技機において、前記外枠の前記内枠より下側部分の前面部を左右方向及び上下方向の各全幅に渡って覆うように設けられるスピーカ筐体を備え、前記スピーカ筐体は、前記横枠板及び各縦枠板の前面部から前記内枠の前面部まで前側方向に膨出される正面視横長四角形の合成樹脂製の前蓋部材と、前記前蓋部材の裏面に配設されるスピーカと、前記前蓋部材の背面部を覆うと共に前記横枠板の前面上端縁部より上側部分が裏側方向に膨出される合成樹脂製のスピーカ収容部材と、前記前蓋部材の下側面に突設される支持部と、を有し、前記支持部は、該スピーカ筐体を外枠に取り付けた場合に、該支持部の下端面が前記横枠板の底面部と同じ位置又は該底面部よりわずかに突出するように下方向に突設されていることを特徴とする。
【０００６】
また、請求項２に係る遊技機は、請求項１に記載の遊技機において、前記支持部は、前記前蓋部材の下側面の前側端縁部に設けられていることを特徴とする。
【０００７】
更に、請求項３に係る遊技機は、請求項２に記載の遊技機において、前記支持部は、前記前側端縁部の左右方向略全幅に渡って設けられていることを特徴とする。
【発明の効果】
【０００８】
請求項１に係る遊技機では、矩形に形成される木製の外枠に、複数の部材が取り付けられる所定厚さの内枠が、遊技者側の前面側にて開閉可能となるように取り付けられている。また、この外枠の内枠より下側に位置する下側の横枠板の前面部と左右に対向する一対の縦枠板の各前面部とは、略同一平面上に配置されている。また、外枠の内枠より下側部分には、スピーカ筐体が外枠の前面部を左右方向及び上下方向の各全幅に渡って覆うように設けられている。
また、このスピーカ筐体は、下側の横枠板及び各縦枠板の前面部から内枠の前面部まで前側方向に膨出される正面視横長四角形の合成樹脂製の前蓋部材と、この前蓋部材の背面部を覆うと共に前記横枠板の前面上端縁部より上側部分が裏側方向に膨出される合成樹脂製のスピーカ収容部材と、から構成されている。また、この前蓋部材の裏面には、スピーカが配設されている。また、この前蓋部材の下側面には、支持部がに突設されている。この支持部は、該スピーカ筐体を外枠に取り付けた場合に、該支持部の下端面が前記横枠板の底面部と同じ位置又は該底面部よりわずかに突出するように下方向に突設されている。
【０００９】
これにより、スピーカ筐体を木製の外枠の内枠より下側の部分に取り付けた場合には、遊技機は、外枠の下面部と、該外枠の下側の横枠板及び各縦枠板の前面部から内枠の前面部まで前側方向に膨出される前蓋部材の下側面に突設される支持部とによって、遊技機は略垂直又はわずかに後傾した状態で支持されるため、内枠に取り付けられている各種部品の重量によって該遊技機が輸送途中に内枠側（前面側）に転倒することを防止することができる。また、外枠を木製にすることができ、この横枠板の左右方向の任意の位置に木ネジや釘等を打ち付けることができ、従来と同様に遊技機を遊技場の既存の設置設備に容易に取り付けることができる。また、前蓋部材の下側面に設けられる支持部を横枠板の底面部と同じ位置又は該底面部よりわずかに突出させることによって遊技機の転倒を防止できるため、合成樹脂製のスピーカ筐体の寸法精度を低くして肉厚寸法を薄くすることが可能となり、製造コストの削減化を図ることができる。更に、合成樹脂製のスピーカ筐体の肉厚寸法を薄くして大容量化を図ることができると共に、該前蓋部材の裏面に配設される各スピーカの大型化を図ることができ、中高音の音質の飛躍的な向上、及び量感のある低音を再生することが可能となる。
【００１０】
また、請求項２に係る遊技機では、前蓋部材の下側面に突設される支持部は、前蓋部材の下側面の前側端縁部に設けられているため、内枠に種々の部品が取り付けられて、重量バランスが前側に偏っている遊技機を更に安定して支持することができ、該遊技機が輸送途中に内枠側（前面側）に転倒することを確実に防止することができる。
【００１１】
更に、請求項３に係る遊技機では、前蓋部材の下側面に突設される支持部は、前蓋部材の下側面の前側端縁部に、この前側端縁部の左右方向略全幅に渡って設けられているため、前蓋部材の左右方向略全幅に渡って遊技機の荷重が分散されるため、スピーカ筐体の左右方向単位長さ当たりの支持荷重が小さくなり、該スピーカ筐体の肉厚寸法を更に薄くして大容量化を図ることができると共に、該前蓋部材の裏面に配設される各スピーカのより大型化を図ることができ、中高音の音質の飛躍的な向上、及び量感のある低音を再生することが可能となる。
【発明を実施するための最良の形態】
【００１２】
以下、本発明に係る遊技機をパチンコ機について具体化した一実施例を図面を参照して詳細に説明する。
【実施例１】
【００１３】
先ず、実施例１に係るパチンコ機の概略構成について図１乃至図４に基づき説明する。
図１及び図２に示すように、実施例１に係るパチンコ機１は、所定量のパチンコ球を賞球として払い出すパチンコ機で、カード式球貸機とパチンコ機１とによって構成され、これらは対をなして設置されるが、図１乃至図３においては、カード式球貸機の図示を省略している。パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して不図示の遊技盤上の遊技領域を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１４】
また、前面カバー部材４の右側中央部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球ケース２２を介して払い出される賞球を受ける上皿７が合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０に連結された発射装置１０Ａ（図３参照）へ送られるよう構成されている。
【００１５】
また、外枠２の内枠３より下側部分の前面部を左右方向及び上下方向の各全幅に渡って覆うようにスピーカ筐体１１が設けられている。
また、図４に示すように、内枠３を閉じた場合には、該内枠３の下端部は、その自重によってスピーカ筐体１１の上端面部に当接している。また、このスピーカ筐体１１の底面前端縁部には、後述のように左右方向全幅に渡って外枠２の下端面に対向する位置又は該下端面よりわずかに下側に突出するように下方向に突設されるリブ部１２が設けられている。
【００１６】
また、図２及び図３に示すように、この内枠３のほぼ中央部には不図示の遊技盤が着脱自在なように鉄板等の金属製の機構盤１８に取り付けられている。そして、この機構盤１８の裏側には合成樹脂製の機構セット盤２０が開閉自在に蝶番により取り付けられている。
また、パチンコ機１の裏側最上段には、上方に開口した賞球タンク２１が機構セット盤２０に固定されている。賞球タンク２０は、傾斜した底面に連通孔が形成され、その連通孔の下方にはパチンコ球を２列に整列流出し、賞球ケース２２にパチンコ球を送る通路を形成するタンクレール２３が取付けられている。また、賞球ケース２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球ケース２２等により賞球及び貸球の払い出しシステムが構成されている。
【００１７】
また、タンクレール２３の下側には液晶表示器（ＬＣＤ）等をカバーする樹脂製のセンターカバー２６が取付けられている。そして、このセンターカバー２６の背面部内側には、スピーカ筐体１１内に装着される各スピーカ１１Ａ（図４、図８等参照）を駆動制御する音制御基板２８、各電飾ランプ６Ａ、６Ｂ等を駆動制御するランプ制御基板２９、及びＬＣＤ等を駆動制御する表示制御基板３０が取り付けられている。また、センターカバー２６の下側には、パチンコ機１の遊技動作を制御する主基板３２が内蔵される基板ケース３３が配設されている。また、基板ケース３３の下方には、上皿７から溢れた賞球を受けて下皿９に案内する下部受皿ボックス３５がボルトにより内枠３の裏側に取り付けられている。
また、機構セット盤２０には、賞球ケース２２の下流側に、賞球を上皿７に案内する賞球案内通路部（不図示）や、賞球タンク２１やタンクレール２３内のパチンコ球を抜くための球抜き通路の排出口３７が下向きに開口され、パチンコ球が下方に排出されるように構成されている。また、該賞球ケース２２の下流側には、上皿７から溢れて賞球案内通路部を流れた賞球を下部受皿ボックス３５まで案内する下皿排出路が形成されている（不図示）。また、この下皿排出路の横側（図３中、左側）には、入賞球を排出する入賞球排出通路の排出口３８が下向きに開口され、入賞球が下方に排出されるように構成されている。
【００１８】
次に、外枠２の概略構成について図４及び図５に基づいて説明する。
図５に示すように、外枠２は上下に対向する一対の横枠板４１、４２と、左右に対向する一対の縦枠板４３、４４とにより矩形に形成されている。各横枠板４１、４２及び縦枠板４３、４４は強度の高い合板で形成されており、それぞれ合板を切断加工することで個々に図示のような所定の寸法形状に予め形成されている。
また、各横枠板４１、４２及び縦枠板４３、４４は、ほぼ同じ幅寸法及び同じ厚さ寸法（実施例１では、例えば、厚さ寸法は約１８〜２０ｍｍである。）に形成されている。そして、各縦枠板４３、４４の長手方向両端縁部の幅方向中央部には、高さ寸法及び厚さ寸法が板厚寸法にほぼ等しくなるように外側に突き出すように形成される断面四角形の各凸部４６が形成されている。また、各横枠板４１、４２の長手方向両端縁部の幅方向中央部の各凸部４６に対向する位置には、幅寸法及び深さ寸法が各凸部４６の断面形状にほぼ等しくなるように形成された各凹部４７が形成されている。そして、各縦枠板４３、４４の各凸部４６は、各横枠板４１、４２の各凹部４７に嵌入されて、各横枠板４１、４２及び各縦枠板４３、４４は、それぞれ互いに直角に交差した状態で組み付けられ、４つの各コーナにおいて、それぞれ３本の釘や木ネジ等の固定部材４８によって互いに結合されている。これにより、図５に示した結合状態では、各横枠板４１、４２及び縦枠板４３、４４の各前面部（図５中、手前側の面）は、同一平面上に位置するように形成されている。
【００１９】
また、外枠２の左上のコーナを形成する上側の横枠板４１及び左側の縦枠板４３には、上ヒンジ３Ａをネジ止めするための各貫通孔５１が穿設されている。また、左側の縦枠板４３には、下ヒンジ３Ｂをネジ止めするための各貫通孔５２が穿設されている。
また、図４及び図５に示すように、下側の横枠板４２には、各縦枠板４３、４４より内側の左右方向ほぼ全幅に渡って、前端縁部から幅方向略中央位置まで、位置決め凹部として機能する所定深さ（実施例１では、例えば、深さ寸法は約５〜９ｍｍで、板厚の約１／３の深さ寸法である。）のスピーカ取付凹部５５が予め形成されている。
【００２０】
次に、スピーカ筐体１１の概略構成について図４、図６乃至図１３に基づいて説明する。
図４、図６乃至図８に示すように、スピーカ筐体１１は、下側の横枠板４２及び各縦枠板４３、４４の前面部から内枠３の前面部まで前側方向に膨出される正面視横長四角形の合成樹脂製の前蓋部材６１と、該前蓋部材６１の背面部の周縁部を覆う平板部６２Ａと、該平板部６２Ａの下側の横枠板４２の前面上端縁部より上側の部分から裏側方向に膨出される膨出部６２Ｂとを有する合成樹脂製のスピーカ収容部材６２と、から構成されている。また、前蓋部材６１の左右には、一対の各スピーカ１１Ａが配設されている。
【００２１】
また、図９及び図１０に示すように、この前蓋部材６１は、外枠２の内枠３より下側部分（図１参照）で、各縦枠板４３、４４より内側の左右方向全幅に渡る部分に対応する正面視横長四角形で所定厚さ（実施例１では、厚さ寸法は、約２．５ｍｍ〜３．５ｍｍである。）の前側平板部６４と、この前側平板部６４の左右両側端縁部（図９（Ａ）、（Ｃ）中、左右両側端縁部）から後方（図９（Ｂ）中、上方向）に延出されて、内枠３の下端面前端縁部から外枠２の左右外側の両側端縁部に達するように形成される水平断面略１／４円弧状の各側面延出部６５、６６と、該前側平板部６４及び各側面延出部６５、６６の上下側端縁部（図９（Ａ）、（Ｃ）中、上下側端縁部）からほぼ水平に延出される上面延出部６７と下面延出部６８とから構成され、後側に開口する横長箱体状に形成されている。
また、前蓋部材６１の左上角部の上面部には、下ヒンジ３Ｂに取付けるための段差部６９が形成されている。また、前蓋部材６１の各側面延出部６５、６６の上下端部（図１０（Ｃ）中、上下端縁部）には、後述のように木ネジが挿通される各取付孔７０が穿設されている（図１４参照）。この各側面延出部６５、６６の上端部に穿設される各取付孔７０は、各縦枠板４３、４４に対向し、該各側面延出部６５、６６の下端部に穿設される各取付孔７０は、下側の横枠板４２に対向する位置に設けられている。
また、図４、図１０（Ａ）、（Ｃ）、（Ｄ）に示すように、前蓋部材６１の下側面を構成する下面延出部６８の前側端縁部には、前側平板部６４の左右方向全幅に渡って対応するように下方向（図１０（Ｃ）中、下側方向）に所定高さ（実施例１では、約０．２ｍｍ〜３ｍｍの高さ寸法である。）突設されるリブ部１２が設けられている。このリブ部１２は、スピーカ筐体１１を外枠２に装着した場合に、この外枠２の下端面に対向する位置又は該下端面よりわずかに下側に突出する（実施例１では、外枠２の下端面に対して約０．０ｍｍ〜２．０ｍｍ下方向に突出する。）ように構成されている。
【００２２】
また、図９（Ｃ）及び図１０（Ｃ）に示すように、前側平板部６４の前面部のほぼ全面には、図１１に示す所定小径及び所定深さ（実施例１では、内径約２ｍｍ〜３ｍｍで、深さは約１〜２ｍｍである。）の非貫通の各凹部７１が所定配列パターン（実施例１では、上下方向及び左右方向に約３ｍｍピッチで配列されている。）で設けられている。
また、図９（Ａ）及び図１０（Ａ）に示すように、前側平板部６４及び各側面部６５、６６の裏面側には、左右方向及び上下方向に所定高さの補強リブが立設されている。また、前側平板部６４の裏面の各スピーカ１１Ａに対応する部分には略横長楕円形の各取付リブ７３が立設されている。また、この各取付リブ部７３の内側部分（スピーカ孔領域）に配設される各凹部７１は、図１２に示すように、底面部が裏側に連通される貫通孔７５に接続されて貫通され、各スピーカ１１Ａの前面方向への音放出口を構成している。
【００２３】
また、図１０（Ａ）、（Ｂ）に示すように、各取付リブ部７３間の左右方向中央部には、断面略四角形状のバスレフ用リブ７６が所定高さ（実施例１では、前蓋部材６１の前後方向厚さ寸法の約２倍の高さ寸法である。）立設されている。また、このバスレフ用リブ７６の左右方向中央位置には、該バスレフ用リブ７６を左右方向に２分割すると共に、該前蓋部材６１の内側部分を左右方向に２分割するように、このバスレフ用リブ７６の裏側端縁部（図１０（Ｂ）中、上端縁部）まで裏側方向に延出される分割リブ７７が立設されている。
また、このバスレフ用リブ７６の内側部分（バスレフ孔領域）に配設される各凹部７１は、図１２に示すように、底面部が裏側に連通される貫通孔７５に接続されて貫通され、各スピーカ１１Ａの裏側方向に放出される音の音放出口を構成している（図８参照）。
また、各取付リブ部７３とバスレフ用リブ７６との間の左右方向ほぼ中央位置のそれぞれの上下端部には、各取付用ボス７９が所定高さ（実施例１では、前蓋部材６１の裏側端縁部とほぼ等しい高さになる高さ寸法である。（図８参照））立設されている。
【００２４】
また、図１３に示すように、スピーカ収容部材６２は、前蓋部材６１の裏側周縁部とほぼ同じ形状で、該前蓋部材６１の裏側周縁部が当接される平板部６２Ａと、該平板部６２Ａの下側の横枠板４２の前面上端縁部より上側の部分（図４参照）から各縦枠板４３、４４より内側の左右方向全幅に渡って、下側の横枠板４２の前後方向幅寸法の約１／２の寸法だけ裏側方向（図１３（Ｂ）中、上方向）に膨出される膨出部６２Ｂとから構成されている。
また、膨出部６２Ｂの上面部及び底面部の前蓋部材６１の各取付用ボス７９に対応する部分には、前後方向全幅に渡って断面略半円形状の各溝部８１が形成され、該各溝部８１の前端縁部の平板部６２Ａには、各取付用ボス７９に対向する位置に取付用ネジが挿通される各貫通孔８２が穿設されている。
【００２５】
また、平板部６２Ａの前面部には、前蓋部材６１の裏側周縁部の内周面に摺接するように前蓋取付用リブ８４が所定高さ（実施例１では、約２ｍｍ〜５ｍｍの高さ寸法である。）で周設されている。また、この前蓋取付用リブ８４の左右両端縁部の内周側上下端部には、前蓋部材６１の各取付孔７０に対向する位置に、木ネジが挿通される各貫通孔８６が穿設される各取付用ボス部８７が、この前蓋取付用リブ８４とほぼ同じ高さ寸法で立設されている。
また、この膨出部６２Ｂ内の左右方向中央の前蓋部材６１の分割リブ７７に対応する位置には、この膨出部６２Ｂ内を左右に二分割するように内側面に立設される二分割リブ８８が設けられている。そして、この二分割リブ８８の前端縁部は、前蓋部材６１にスピーカ収容部材６２を取り付けることにより、該前蓋部材６１の分割リブ７７の後端縁部に当接され、このスピーカ筐体１１内の空間を左右にほぼ等分割するように構成されている（図８参照）。
【００２６】
また、膨出部６２Ｂの背面部の左端部（図１３（Ｃ）中、左端部）には、各スピーカ１１Ａを駆動するためのスピーカ駆動ケーブル（不図示）が裏側方向から接続される接続コネクタ８９（図７（Ａ）参照）が取付けられる断面略四角形のコネクタ取付孔９０が穿設されている。また、このコネクタ取付孔９０の左右方向外側には、接続コネクタ８９をネジ止めするための貫通孔９１が穿設されている。また、膨出部６２Ｂの背面部には、該膨出部６２Ｂを下側の横枠板４２のスピーカ取付凹部５５に載置した場合に、該下側の横枠板４２の上端面部に対向する高さで、左右方向中央位置及び各スピーカ１１Ａの後端縁部が挿入されるスピーカ挿入リブ９２の背面部に対応する位置から平面視略三角形状の平板状の各取付部９３が、裏側方向水平に延出されている。また、各取付部９３の裏側方向先端部には、木ネジが挿通される貫通孔９４が穿設されている。
また、膨出部６２Ｂの上面部の下ヒンジ３Ｂに対向する位置には、スピーカ筐体１１を下ヒンジ３Ｂの下面にネジ止めするためのネジ孔９５が設けられている。
【００２７】
次に、スピーカ筐体１１の外枠２への取り付け・取り外し方法について図１４乃至図１６に基づいて説明する。
ここで、スピーカ筐体１１の組み立ては、先ず、前蓋部材６１の裏側面に立設される各取付リブ７３に各スピーカ１１Ａを押し当ててネジ止めし、各スピーカ１１Ａを前蓋部材６１の裏側面に取り付ける。また、スピーカ収容部材６２のコネクタ取付孔９０に接続コネクタ８９をネジ止めする。そして、各スピーカ１１Ａの配線用コネクタをこの接続コネクタ８９に接続後、前蓋部材６１のリブ部１２が下側方向になると共に、スピーカ収容部材６２の各取付部９３が下側方向になるように、この前蓋部材６１の裏側周縁部内にスピーカ収容部材６２の前蓋取付用リブ８４を嵌入させつつ、該スピーカ収容部材６２の平板部６２Ａを前蓋部材６１の裏側端面部に当接させる。続いて、スピーカ収容部材６２の各貫通孔８２に裏側方向からビスを挿通し、前蓋部材６１の各取付用ボス７９にネジ止めして取り付け、スピーカ筐体１１を構成する（図７、図８参照）。
【００２８】
そして、図１４乃至図１６に示すように、前蓋部材６１のリブ部１２が下側になるようにスピーカ筐体１１をほぼ水平に保持して、外枠２の前面側から、スピーカ筐体１１のスピーカ収容部材６２を下側の横枠板４２と下ヒンジ３Ｂとの間に（図１４中、矢印９７方向に）挿入する。そして、スピーカ収容部材６２の膨出部６２Ｂの底面部をスピーカ取付凹部５５に載置した状態で、該スピーカ収容部材６２の平板部６２Ａを横枠板４２及び各縦枠板４３、４４の前面部に当接させる。そして、前蓋部材６１の各取付孔７０及びスピーカ収容部材６２の各貫通孔８６に各木ネジ９８を挿入し、上側の各木ネジ９８をそれぞれ縦枠板４３、４４の前面部にネジ止めし、下側の各木ネジ９８を下側の横枠板４２の前面部にネジ止めする。また、スピーカ収容部材６２の背面部に設けられる各取付部９３の各貫通孔９４に各木ネジ９９を挿通して、横枠板４２の上端面部にネジ止めする。更に、下ヒンジ３Ｂの貫通孔１０１にネジ１０２を挿通し、スピーカ収容部材６２の上面部に形成されるネジ孔９５にネジ止めし、固定する。これにより、スピーカ筐体１１は外枠２の前面部下方を覆うように取り付けられる。そして、内枠３を各ヒンジ３Ａ、３Ｂを介して取り付けて、スピーカ駆動ケーブル（不図示）を接続コネクタ８９に接続後、該内枠３を閉じた場合には、この内枠３の下端縁部がスピーカ筐体１１の上端面部に当接され、該内枠３の前面部に連続するパチンコ機１の前面部が構成される（図１及び図４参照）。
【００２９】
一方、スピーカ筐体１１を外枠２から取り外す場合には、先ず、内枠３を前側に開き、接続コネクタ８９からスピーカ駆動ケーブル（不図示）を取り外す。続いて、ネジ１０２、各木ネジ９９及び各木ネジ９８を前面側から取り外した後、該スピーカ筐体１１を前側方向に水平に引き出すことにより、パチンコ機１の前面側からスピーカ筐体１１を容易に取り外すことができる。
【００３０】
従って、スピーカ筐体１１を木製の外枠２の内枠３より下側の部分に取り付けた場合には、パチンコ機１は、外枠２の下面部と、該スピーカ筐体１１の前蓋部材６１の下側面を構成する下面延出部６８の前側端縁部に、この前蓋部材６１の前側平板部６４の左右方向全幅に渡って対応するように下方向に突設されるリブ部１２とによって、略垂直又はわずかに後傾した状態で支持される。このため、内枠３に取り付けられている各種部品の重量によって該パチンコ機１が輸送途中に内枠３側（前面側）に転倒することを防止することができる。また、外枠２を木製にすることができ、下側の横枠板４２の左右方向の任意の位置に木ネジや釘等を打ち付けることができ、従来と同様にパチンコ機１を遊技場の既存の設置設備に容易に取り付けることができる。また、前蓋部材６１の下面延出部６８に設けられるリブ部１２を横枠板４２の底面部と同じ位置又は該底面部よりわずかに突出させることによってパチンコ機１の転倒を防止できるため、合成樹脂製のスピーカ筐体１１の寸法精度を低くして肉厚寸法を薄くすることが可能となり、製造コストの削減化を図ることができる。更に、合成樹脂製のスピーカ筐体１１の肉厚寸法を薄くして大容量化を図ることができると共に、該前蓋部材６１の裏面に配設される各スピーカ１１Ａの大型化を図ることができ、中高音の音質の飛躍的な向上、及び量感のある低音を再生することが可能となる。
【００３１】
尚、本発明は、上記実施例１に限定されるものではなく、本発明の要旨を逸脱しない範囲内で種々の改良、変形が可能であることは勿論である。
【図面の簡単な説明】
【００３２】
【図１】実施例１に係るパチンコ機全体を示した正面図である。
【図２】実施例１に係るパチンコ機全体を示した側面図である。
【図３】実施例１に係るパチンコ機全体を示した背面図である。
【図４】図１のＸ１−Ｘ１矢視要部拡大断面図である。
【図５】実施例１に係るパチンコ機の外枠を示す斜視図である。
【図６】実施例１に係るパチンコ機のスピーカ筐体を示す斜視図である。
【図７】実施例１に係るパチンコ機のスピーカ筐体を示す図で、（Ａ）は背面図、（Ｂ）は平面図、（Ｃ）は正面図、（Ｄ）は右側面図である。
【図８】実施例１に係るパチンコ機のスピーカ筐体を示す水平断面図である。
【図９】実施例１に係るパチンコ機のスピーカ筐体の前蓋部材に各スピーカを取り付けた状態を示す図で、（Ａ）は背面図、（Ｂ）は平面図、（Ｃ）は正面図、（Ｄ）は右側面図である。
【図１０】実施例１に係るパチンコ機のスピーカ筐体の前蓋部材を示す図で、（Ａ）は背面図、（Ｂ）は平面図、（Ｃ）は正面図、（Ｄ）は右側面図である。
【図１１】図１０のＰ部を示す図で、（Ａ）は要部拡大正面図、（Ｂ）は（Ａ）のＸ２−Ｘ２矢視側断面図である。
【図１２】図１０のＱ部を示す図で、（Ａ）は要部拡大正面図、（Ｂ）は（Ａ）のＸ３−Ｘ３矢視側断面図である。
【図１３】実施例１に係るパチンコ機のスピーカ筐体のスピーカ収容部材を示す図で、（Ａ）は背面図、（Ｂ）は平面図、（Ｃ）は正面図、（Ｄ）は右側面図である。
【図１４】実施例１に係るパチンコ機のスピーカ筐体の外枠への取り付け方法を説明する図である。
【図１５】実施例１に係るパチンコ機のスピーカ筐体を外枠に取り付けた状態を示す図である。
【図１６】図１５のスピーカ筐体部分の水平断面図である。
【符号の説明】
【００３３】
１                                            パチンコ機
２                                            外枠
３                                            内枠
３Ａ                                          上ヒンジ
３Ｂ                                          下ヒンジ
１１                                          スピーカ筐体
１２                                          リブ部
３７、３８                                    排出口
４１、４２                                    横枠板
４３、４４                                    縦枠板
５１、５２、７５、８２、８６、９１、９４      貫通孔
５５                                          スピーカ取付凹部
６１                                          前蓋部材
６２                                          スピーカ収容部材
６２Ａ                                        平板部
６２Ｂ                                        膨出部
６４                                          前側平板部
７０                                          取付孔
７１                                          凹部
９３                                          取付部
９８、９９                                    木ネジ
１０２                                        ネジ
【図１】
2005323729.tif 000003
【図２】
2005323729.tif 000004
【図３】
2005323729.tif 000005
【図４】
2005323729.tif 000006
【図５】
2005323729.tif 000007
【図６】
2005323729.tif 000008
【図７】
2005323729.tif 000009
【図８】
2005323729.tif 000010
【図９】
2005323729.tif 000011
【図１０】
2005323729.tif 000012
【図１１】
2005323729.tif 000013
【図１２】
2005323729.tif 000014
【図１３】
2005323729.tif 000015
【図１４】
2005323729.tif 000016
【図１５】
2005323729.tif 000017
【図１６】
2005323729.tif 000018